(57)【要約】【課題】魚を効果的に誘う動きをさせた状態でルアー本体が持つ潜航能力では到達できない水深までルアーを沈めて使用することが可能なルアー用錘を提供する。【解決手段】ルアー２０を水中に沈めるためのルアー用錘１０であり、ルアー２０を水中に沈めるための錘本体１１と、錘本体１１を支持する錘支持アーム１２Ｂと、錘支持アーム１２Ｂの基端部に設けられ、ライン３０を連結するためのライン連結部１２Ａと、その基端部にライン連結部１２Ａが設けられるとともにルアー２０を可動可能に支持するルアー支持アーム１２Ｃと、を備え、ルアー支持アーム１２Ｃと錘支持アーム１２Ｂとは、ルアー２０を水中に沈めた際に、錘支持アーム１２Ｂの先端部がルアー支持アーム１２Ｃの先端部より前方に位置するように、ライン連結部１２Ａから延設されるものである。【選択図】図１
2019170216.tif 000002
【特許請求の範囲】
【請求項１】
水に対して浮力を有するルアーを水中に沈めるためのルアー用錘であって、
前記ルアーを水中に沈めるための錘本体と、
前記錘本体をその先端部において支持する錘支持アームと、
前記錘支持アームの基端部に設けられ、ラインを連結するためのライン連結部と、
その基端部に前記ライン連結部が設けられるとともに、その先端部において前記ルアーを可動可能に支持するルアー支持アームと、
を備え、
前記ルアー支持アームと前記錘支持アームとは、前記ルアーを水中に沈めた際に、前記錘支持アームの先端部が前記ルアー支持アームの先端部より前方に位置するように、前記ライン連結部から延設されること
を特徴とするルアー用錘。
【請求項２】
前記錘支持アームは、前記ルアー支持アームの先端部から離れる方向に湾曲して前記ライン連結部から延設され、
前記ルアー支持アームは、前記錘支持アームの先端部に近づく方向に湾曲して前記ライン連結部から延設されること
を特徴とする請求項１に記載のルアー用錘。
【請求項３】
前記ルアー支持アームは、その先端部が前記ルアーに対して着脱可能に構成されること
を特徴とする請求項１又は請求項２に記載のルアー用錘。
【発明の詳細な説明】
【技術分野】
【０００１】
本発明は、水に対して浮力を有するルアーを水中に沈めるためのルアー用錘に関するものである。
【背景技術】
【０００２】
従来、この種のルアー用錘を取り付けるルアーは、ルアー本体を操作することで効果的に魚を誘う動きを行うことができるように、ルアー本体の形状と、ルアー本体の浮力と、ルアー本体に付属される錘と、のバランスを計算して設計されている。
【０００３】
一方で、水中でのルアーの潜水性を向上させるため、或いはルアーを沈める水深をより深くするために、この種のルアー用錘をルアーに追加して取り付ける。例えば、特開２００２−２２３６６９号には、ルアー本体に、係止部が形成された錘部を設け、当該錘部に接続部を介して錘が連結された別体の錘体を着脱可能にするルアーが開示されている。特開２００２−２２３６６９号のルアーにおいては、ルアー本体に錘体を着脱することによりルアーに取り付ける錘の重量を調整する。
【先行技術文献】
【特許文献】
【０００４】
【特許文献１】特開２００２−２２３６６９号公報
【発明の概要】
【発明が解決しようとする課題】
【０００５】
しかしながら、特開２００２−２２３６６９号のルアーのように、ルアー本体に直接錘を取り付けると、ルアーの上記バランスが崩れ易くなる。すなわち、追加して取り付けられる錘がルアー本体に近くなるにつれ、ルアー本体は、追加して取り付ける錘の重さの影響を受け易く、また、追加して取り付けられる錘の重さが重くなるにつれ、ルアーの上記バランスが著しく崩れ易くなる。そのため、ルアー本体が持つ潜航能力では到達できない水深までルアーを沈めるために、ルアー本体に直接、或いはルアーの近傍に所定の重さ以上の錘を追加して取り付けると、ルアーの上記バランスが著しく崩れ、魚を誘う動きを効果的にルアーに行わせることができないという問題があった。
【０００６】
そこで、本発明は、魚を効果的に誘う動きをさせた状態でルアー本体が持つ潜航能力では到達できない水深までルアーを沈めて使用することが可能なルアー用錘を提供することを目的とする。
【課題を解決するための手段】
【０００７】
本発明の解決しようとする課題は以上であり、次にこの課題を解決するための手段を説明する。
【０００８】
即ち、本発明のルアー用錘は、水に対して浮力を有するルアーを水中に沈めるためのルアー用錘であって、前記ルアーを水中に沈めるための錘本体と、前記錘本体をその先端部において支持する錘支持アームと、前記錘支持アームの基端部に設けられ、ラインを連結するためのライン連結部と、その基端部に前記ライン連結部が設けられるとともに、その先端部において前記ルアーを可動可能に支持するルアー支持アームと、を備え、前記ルアー支持アームと前記錘支持アームとは、前記ルアーを水中に沈めた際に、前記錘支持アームの先端部が前記ルアー支持アームの先端部より前方に位置するように、前記ライン連結部から延設されるものである。
【０００９】
本発明のルアー用錘は、上記のルアー用錘において、前記錘支持アームは、前記ルアー支持アームの先端部から離れる方向に湾曲して前記ライン連結部から延設され、前記ルアー支持アームは、前記錘支持アームの先端部に近づく方向に湾曲して前記ライン連結部から延設されるものである。
【００１０】
本発明のルアー用錘は、上記のルアー用錘において、前記ルアー支持アームは、その先端部が前記ルアーに対して着脱可能に構成されるものである。
【発明の効果】
【００１１】
本発明のルアー用錘によれば、ルアーから離れた位置に錘本体を設けることができるため、ルアーが錘本体の重さの影響を受け難くなる。そのため、ルアーが持つ潜航能力では到達できない水深までルアーを沈めるために所定の重さ以上の錘を追加して取り付けた場合であっても、ルアーのバランスを著しく崩すことなく、魚を誘う動きを効果的にルアーに行わせることができる。
【図面の簡単な説明】
【００１２】
【図１】本発明に係るルアー用錘及び同ルアー用錘を取り付けたルアーの正面図である。
【発明を実施するための形態】
【００１３】
以下、本発明の実施例を図面に基づき説明する。なお、以下の説明では、ルアー用錘１０において、ライン３０を連結する側を前側、ルアー２０を連結する側を後側とする。
【００１４】
図１に示すように、ルアー用錘１０は、ルアー２０を水中に沈めるための錘である。特に、ルアー用錘１０は、本来は浮力により水面に浮くルアー、或いはサスペンドと呼ばれる水中の中層で静止するルアー等を、ルアー自体が有する潜航能力を越えた水深まで沈めるために使用する。ルアー用錘１０は、釣り場の状況、対象とする魚の種類等に応じてルアー２０を変更することができるように、ルアー２０に対して着脱可能に構成されている。
【００１５】
ルアー用錘１０を取り付けるルアー２０は、水に対して浮力を有するものであり、小魚等の形態を模したものである。ルアー２０は、ルアー本体２１Ａ、２１Ｂと、フック２２と、リップ２３と、ラインアイ２４と、から主に構成されている。ルアー２０は、ルアー本体２１Ａ、２１Ｂを操作することで効果的に魚を誘う動きを行うことができるように、ルアー本体２１Ａ、２１Ｂの形状と、ルアー本体２１Ａ、２１Ｂの浮力と、ルアー本体２１Ａ、２１Ｂに付属される錘と、のバランスを計算して設計されている。
【００１６】
ルアー２０は、前側（頭部側）の前側ルアー本体２１Ａと、後側（尾部側）の後側ルアー本体２１Ｂと、に分割して構成され、前側ルアー本体２１Ａと後側ルアー本体２１Ｂとを本体連結部材２６により連結することで一体に形成されている。なお、本発明は、ルアー本体が前後に分割されたルアーに限定されるのではなく、ルアー本体が分割されることなく一体に成形されたものであっても構わない。
【００１７】
フック２２は、ルアー本体２１Ａ、２１Ｂの下部（腹部）に設けられ、フック用リング２５を介して吊り下げられている。リップ２３は、水圧を受けてルアー２０を揺動沈降させる抵抗板であり、前側ルアー本体２１Ａの前部（頭部）から外方へ向けて突出して設けられる。なお、本発明は、リップ２３を有するルアー２０に限定されるものではなく、リップを有さないルアーであっても構わない。ラインアイ２４は、ルアー用錘１０を連結するための環状の部分であり、前側ルアー本体２１Ａの前部（頭部）に設けられる。ラインアイ２４には、スプリットリング１４が取り付けられ、スプリットリング１４を介して、ルアー２０（前側ルアー本体２１Ａ）とルアー用錘１０が連結される。
【００１８】
図１に示すように、ルアー用錘１０は、ルアー２０を水中に沈めるための錘本体１１と、ワイヤ１２と、から構成されている。
【００１９】
錘本体１１は、鉛、タングステン、錫、これらの合金等からなる高比重の金属部材によって形成される。錘本体１１は、略卵型の錘であり、その卵型の一端部にワイヤ１２を貫通させるための貫通孔１１Ａが形成されている。錘本体１１は、貫通孔１１Ａにワイヤ１２を貫通させることで、ワイヤ１２の一端部に取り付けられ、貫通孔１１Ａからワイヤ１２を抜くことでワイヤ１２から取り外すことができる。すなわち、錘本体１１は、釣り場の状況、対象とする魚の種類等に応じてその重さを変更することができるように、ワイヤ１２に対して着脱可能に構成されている。なお、本発明は、錘本体１１をワイヤ１２に対して着脱可能に構成されたものに限定されるものではなく、溶接等によりワイヤ１２に固定されたものでも構わない。
【００２０】
ワイヤ１２は、周知の金属素材からなる変形可能な線部材である。ルアー用錘１０は、ワイヤ１２を湾曲して変形することで、ライン連結部１２Ａと、錘支持アーム１２Ｂと、ルアー支持アーム１２Ｃと、を成形する。すなわち、ライン連結部１２Ａと、錘支持アーム１２Ｂと、ルアー支持アーム１２Ｃとがワイヤ１２により一体に成形される。なお、本発明は、ライン連結部１２Ａと、錘支持アーム１２Ｂと、ルアー支持アーム１２Ｃとをワイヤ１２により一体に成形したものに限定されるのではなく、各部を個別の部材により形成し、形成した個別の部材を組み合わせる（連結する）ことにより成形しても構わない。
【００２１】
ライン連結部１２Ａは、ワイヤ１２を変形させることにより環状に成形される部分である。ライン連結部１２Ａは、ワイヤ１２の中央部を変形させることにより成形される。ライン連結部１２Ａの環状部分には、連結部材３１が取り付けられ、連結部材３１を介してライン３０が連結される。
【００２２】
錘支持アーム１２Ｂは、ライン連結部１２Ａを中心とした一方側に形成されるアーム状の部分である。錘支持アーム１２Ｂは、ワイヤ１２の一方側を湾曲状に変形させることにより成形される。錘支持アーム１２Ｂは、その基端部（ワイヤ１２の中央部）にライン連結部１２Ａが設けられるとともに、その先端部（ワイヤ１２の一方側端部）において錘本体１１を支持する。具体的には、錘支持アーム１２Ｂを形成するワイヤ１２の一方側端部を錘本体１１の貫通孔１１Ａに貫通させ、貫通させたワイヤ１２の先端を折り曲げて錘本体１１に掛止させることで、錘本体１１をワイヤ１２の一方側端部に取り付ける。
【００２３】
ルアー支持アーム１２Ｃは、ライン連結部１２Ａを中心とした他方側に形成されるアーム状の部分である。錘支持アーム１２Ｂは、ワイヤ１２の他方側を湾曲状に変形させることにより成形される。ルアー支持アーム１２Ｃは、その基端部（ワイヤ１２の中央部）にライン連結部１２Ａが設けられるとともに、その先端部（ワイヤ１２の他方側端部）においてルアー２０を支持する。
【００２４】
ルアー支持アーム１２Ｃの先端部には、スイベル１３が設けられている。スイベル１３は、ルアー支持アーム１２Ｃ（ワイヤ１２）に対して可動可能に構成されている。具体的には、スイベル１３は、その軸方向にワイヤ１２が貫通してルアー支持アーム１２Ｃ（ワイヤ１２）に対して摺動するとともに、その一端部がルアー支持アーム１２Ｃ（ワイヤ１２）の先端部に係止される。ルアー支持アーム１２Ｃの先端部にスイベル１３を設けることで、ルアー支持アーム１２Ｃに支持されるルアー２０の動きに自由度を持たせている。このため、魚を誘う動きを効果的にルアーに行わせることができる。また、スイベル１３を設けることで、ルアー２０とルアー支持アーム１２Ｃとをスプリットリング１４を介して連結させることができ、ルアー支持アーム１２Ｃの先端部をルアー２０に対して着脱可能に構成されている（ルアー２０がルアー用錘１０（ルアー支持アーム１２Ｃ）に対して着脱可能である）。このため、釣り場の状況、対象とする魚の種類等に応じてルアー２０を自由に変更することができる。このように、ルアー用錘１０においては、ルアー支持アーム１２Ｃの先端部にスイベル１３を設け、スプリットリング１４を介してルアー２０を連結させることで、ルアー支持アーム１２Ｃがその先端部においてルアー２０を可動可能に支持するとともに、ルアー２０に対して着脱可能となる。
【００２５】
ルアー用錘１０は、ライン連結部１２Ａを中心に、ルアー支持アーム１２Ｃと錘支持アーム１２Ｂとが二股状に分かれて延設されている。ルアー支持アーム１２Ｃと錘支持アーム１２Ｂとは、ルアー２０を水中に沈めた際に、錘支持アーム１２Ｂの先端部がルアー支持アーム１２Ｃの先端部（スイベル１３が設けられている位置）より前方に位置するように、ライン連結部１２Ａから延設されている。すなわち、ルアー支持アーム１２Ｃと錘支持アーム１２Ｂとは、その先端部同士が所定の間隔を有して保持されるように、ライン連結部１２Ａから延設されている。
【００２６】
錘支持アーム１２Ｂは、ルアー支持アーム１２Ｃの先端部（スイベル１３）から離れる方向に湾曲してライン連結部１２Ａから延設されている。すなわち、錘支持アーム１２Ｂは、その中央部がルアー用錘１０の外側に湾曲して成形されている。錘支持アーム１２Ｂは、その長手方向の長さが所定の長さに設定されている。ここで、錘支持アーム１２Ｂの所定の長さとは、ルアー２０を水中に沈めた際に、錘本体１１の重さがルアー２０のバランスに影響を与えず、且つ錘支持アーム１２Ｂがキャスティング時の妨げとならない長さをいう。すなわち、錘支持アーム１２Ｂの長さが短すぎると、錘本体１１の重さがルアー２０のバランスに影響を与え易くなり、錘支持アーム１２Ｂの長さが長すぎすると、キャスティング時に錘支持アーム１２Ｂが邪魔になるとともに、ルアー用錘１０自体の重量が重くなる。
【００２７】
ルアー支持アーム１２Ｃは、錘支持アーム１２Ｂの先端部（錘本体１１）に近づく方向に湾曲してライン連結部１２Ａから延設されている。すなわち、ルアー支持アーム１２Ｃは、その中央部がルアー用錘１０の内側に湾曲して成形されている。ルアー支持アーム１２Ｃは、その長手方向の長さが所定の長さに設定されている。ここで、ルアー支持アーム１２Ｃの所定の長さとは、ルアー２０を水中に沈めた際に、錘本体１１とルアー２０とが接触せず、且つルアー支持アーム１２Ｃがキャスティング時の妨げとならない長さをいう。すなわち、ルアー支持アーム１２Ｃの長さが短すぎると、錘本体１１とルアー２０とが接触し易くなり、ルアー支持アーム１２Ｃの長さが長すぎすると、キャスティング時にルアー支持アーム１２Ｃが邪魔になるとともに、ルアー用錘１０自体の重量が重くなる。また、リップ２３を有するルアー２０においては、リップ２３が錘本体１１或いは錘支持アーム１２Ｂに接触しないように、ルアー支持アーム１２Ｃの長手方向の長さを設定する。
【００２８】
ルアー用錘１０は、ルアー支持アーム１２Ｃをルアー２０の前側（頭部側）から延設させて、錘本体１１を支持する錘支持アーム１２Ｂをルアー２０から離すことで、錘本体１１をルアー２０から離した位置に配置し、錘本体１１の重さがルアー２０のバランスに影響を与えないようにしている。特に、ルアー支持アーム１２Ｃを、錘支持アーム１２Ｂの先端部（錘本体１１）に近づく方向に湾曲してライン連結部１２Ａから延設させることで、ルアー支持アーム１２Ｃの先端部（ルアー２０）と、錘支持アーム１２Ｂの先端部（錘本体１１）との距離が長くなり、ルアー２０を水中に沈めた際に、錘本体１１がルアー２０から離れた位置となる。
【００２９】
次に、ルアー用錘１０の作用について説明する。図１に示すように、ルアー用錘１０を取り付けたルアー２０を水中に沈めると、ルアー支持アーム１２Ｃは、ルアー２０自体の浮力によりライン連結部１２Ａを中心に上方に上げられる。一方、錘支持アーム１２Ｂは、錘本体１１の重さでライン連結部１２Ａを中心に下方に下げられる。これにより、ルアー支持アーム１２Ｃに支持されるルアー２０は水中に沈むが、ルアー支持アーム１２Ｃと錘支持アーム１２Ｂの先端部同士が所定の間隔を有して保持される。特に、ルアー支持アーム１２Ｃの中央部がルアー用錘１０の内側に湾曲して成形されているため、ルアー２０が錘本体１１に接触することなく水中に沈む。また、ルアー２０と錘本体１１とが所定の間隔を有して離れているため、錘本体１１の重さがルアー２０に影響しない。そのため、ルアー２０が持つ潜航能力では到達できない水深までルアー２０を沈めるために所定の重さ以上の錘本体１１を追加して取り付けた場合であっても、ライン３０を操作することで、魚を誘う動きをルアー２０に対して効果的に行うことができる。
【００３０】
さらに、ルアー用錘１０は、水中において、岩、木の枝等の障害物に接触する場合には、まず、錘支持アーム１２Ｂが当該障害物に接触する。特に、錘支持アーム１２Ｂの中央部がルアー用錘１０の外側に湾曲して成形されているため、例えば、横に向かって広がる水中の木の枝に接触した場合には、錘支持アーム１２Ｂの基端部側（ライン連結部１２Ａ側の部分）が木の枝に接触し、水底にある小さな岩に接触した場合には、錘支持アーム１２Ｂの中央部付近が岩に接触する。一方で、ルアー支持アーム１２Ｃは、錘支持アーム１２Ｂが上記木の枝に接触することで、ルアー２０の浮力によりライン連結部１２Ａを中心に上方に持ち上がる。これにより、ルアー２０が上記木の枝から離れた位置に移動する。すなわち、上記木の枝へのルアー２０の接触を回避することができる。また、錘支持アーム１２Ｂが上記岩に接触した場合には、錘本体１１及びルアー２０が岩と岩との間に挟まり込んで引っ掛かることを防止することができる。
【００３１】
以上のように、ルアー用錘１０においては、ルアー支持アーム１２Ｃを有することから、ルアー２０から離れた位置に錘本体１１を設けることができるため、ルアー２０が錘本体１１の重さの影響を受け難くなる。そのため、ルアー２０が持つ潜航能力では到達できない水深までルアー２０を沈めるために所定の重さ以上の錘本体１１を追加して取り付けた場合であっても、ルアー２０のバランスを著しく崩すことなく、魚を誘う動きを効果的にルアー２０に行わせることができる。また、ルアー２０と錘本体１１とが接触せず互いに干渉しない。特に、リップ２３を有するルアー２０においては、リップ２３が錘本体１１或いはワイヤ１２に接触せず互いに干渉しない。
【００３２】
ルアー用錘１０においては、ルアー支持アーム１２Ｃ（ワイヤ１２）に対して可動するスイベル１３が設けられているため、ルアー２０が動いた際にスイベル１３がルアー２０の動きに追従できる。それゆえに、ルアー２０が自由に可動できることで、錘本体１１がルアー２０の動きを抑制し難くなり、ルアー２０の持つ効果的に魚を誘う動きの発生を妨げ難くなる。
【００３３】
ルアー用錘１０においては、ルアー支持アーム１２Ｃの先端部（スイベル１３）がルアー２０に対して着脱可能な構成であることから、ルアー用錘１０に取り付けるルアー２０が限定されず、幅広い種類のルアー２０を取り付けることができる。
【００３４】
なお、ルアー用錘１０においては、錘支持アーム１２Ｂ及びルアー支持アーム１２Ｃがワイヤ１２を湾曲状に変形させることにより成形されているが、湾曲状に限定されるものではなく、ルアー２０を水中に沈めた際に、錘支持アーム１２Ｂの先端部がルアー支持アーム１２Ｃの先端部より前方に位置するように、錘支持アーム１２Ｂ及びルアー支持アーム１２Ｃがライン連結部１２Ａから延設される構成であれば、錘支持アーム１２Ｂ及びルアー支持アーム１２Ｃを直線状に（ワイヤ１２を湾曲状に変形させずに）成形しても構わない。
【００３５】
ルアー用錘１０においては、ルアー２０（前側ルアー本体２１Ａ）とルアー用錘１０とをスプリットリング１４を介して連結しているが、スプリットリング１４に限定されるものではなく、スナップやその他連結器具により連結しても構わない。また、ルアー支持アーム１２Ｃの先端部（スイベル１３）をルアー２０と直接連結可能な形状に形成したものであっても構わない。さらに、スイベル１３を設けずに、ルアー支持アーム１２Ｃ（ワイヤ１２）の先端部に環状部分を成形し、ルアー支持アーム１２Ｃの当該環状部分と、ルアー２０のラインアイ２４と、をスプリットリング１４等の連結器具により連結することで、ルアー２０をルアー支持アーム１２Ｃに対して可動させても構わない。
【００３６】
ルアー用錘１０においては、錘本体１１が略卵型の錘であるが、錘支持アーム１２Ｂの先端部に取り付け可能な錘であれば、その形状は略卵型の形状に限定されない。また、ルアー用錘１０においては、ワイヤ１２の一方側端部を錘本体１１の貫通孔１１Ａに貫通させることにより、錘支持アーム１２Ｂと錘本体１１とを連結しているが、この連結方法に限定されるものではなく、例えば、ワイヤ１２の一方側端部を環状に成形し、ワイヤ１２の環状部分と錘本体１１の貫通孔１１Ａとをスプリットリング等の連結用具により連結する構成であっても構わない。
【００３７】
ルアー用錘１０においては、ルアー用錘１０（ライン連結部１２Ａ）とライン３０とを連結部材３１を介して連結しているが、この連結方式に限定されるものではなく、ライン３０を直接ライン連結部１２Ａに連結しても構わない。また、ルアー用錘１０においては、ライン連結部１２Ａを環状に成形しているが、ライン３０をルアー用錘１０に連結可能であれば、その形状は環状に限定されない。
【００３８】
ルアー用錘１０においては、ルアー支持アーム１２Ｃの先端部（スイベル１３）がルアー２０に対して着脱可能な構成であるが、これに限定されるものではなく、ルアー支持アーム１２Ｃの先端部が、ルアー２０を可動可能な構成であれば、ルアー支持アーム１２Ｃの先端部（スイベル１３）にルアー２０を固定させても構わない。
【符号の説明】
【００３９】
１０                    ルアー用錘
１１                    錘本体
１２Ａ                  ライン連結部
１２Ｂ                  錘支持アーム
１２Ｃ                  ルアー支持アーム
２０                    ルアー
【図１】
2019170216.tif 000003